(57)【要約】【課題】近年、薬局やドラッグストアなど医薬品を扱う店舗では、雑貨や日用品など医療費控除の対象となる薬品以外の商品も多数取り扱っている。よって、１取引の中で、医療費控除の対象商品と非対象商品が混在して登録された場合、レシートには、混在されたまま印刷されている。しかしながら、医療費控除の適用対象となる医療費等は、規定された条件に適合したものでなければならないことから、支払ったものが医療費控除の対象商品となるか否かを、顧客が正確に判断するのは容易ではなく、申請し忘れたり、間違えた申請をしてしまうという問題がある。【解決手段】本発明は、店舗にて取引を行った全ての利用者に対し、１取引毎に医療費控除の対象商品と非対象商品を区別して出力するものであり、より簡易に医療費控除用レシートを作成する。【選択図】　図１０
2004094309.tif 000002
【特許請求の範囲】
【請求項１】
取引毎に取引内容が記録されたレシートを発行するＰＯＳシステムにおいて、
商品識別情報が入力される入力手段と、
レシートを出力する出力手段と、
個々の商品識別情報毎に、当該商品の商品名、価格、及び当該商品が医療費控除の対象となるか否かを示す情報を格納するマスタファイルと、
前記入力手段により入力された商品識別情報に基づき前記マスタファイルを参照し、対応する商品情報を取得して精算処理を実行するとともに、読み出された情報に基づき編集し、前記出力手段により店名、発行日、及び医療費控除の対象商品が印字されている部分と、非対象商品のみ印字されている部分とが分離されたレシートを印字出力せしめる制御手段、とを有することを特徴とする、ＰＯＳシステム。
【請求項２】
取引毎に取引内容が記録されたレシートを発行するＰＯＳ端末
置において、
商品識別情報が入力される入力手段と、
レシートを出力する出力手段と、
前記入力手段より入力された商品識別情報に基づき、対応する商品情報を取得して精算処理を実行する制御手段とを有し、
前記制御手段により個々の商品識別情報毎に、当該商品の商品名、価格、及び当該商品が医療費控除の対象となるか否かを示す情報とを含む商品情報を格納するマスタファイルより取得した情報に基づき編集し、前記出力手段により店名、発行日及び、前記医療費控除の対象商品が印字されている部分と、非対象商品のみ印字されている部分とが分離されたレシートを印字出力せしめることを特徴とする、ＰＯＳ端末装置。
【請求項３】
ＰＯＳ端末装置から発行されるレシートにおいて、
前記ＰＯＳ端末装置により、個々の商品識別情報毎に、当該商品の商品名、価格、及び当該商品が医療費控除の対象となるか否かを示す情報とを含む、商品情報を格納するマスタファイルより取得した情報に基づき編集され、店名、発行日及び、医療費控除の対象商品が印字されている部分と、非対象商品のみ印字されている部分とが、分離されていることを特徴とするレシート。
【請求項４】
取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、　取得した情報に基づき編集し、店名、発行日、及び医療費控除の対象商品が印字される部分と、非対象商品が印字されている部分とが分離されたレシートを発行することを特徴とするレシート発行方法。
【請求項５】
取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、店名、発行日、及び医療費控除の対象商品が印字される部分と、非対象商品が印字されている部分とが分離されたレシートをＰＯＳ端末の出力手段より出力させる機能と、を有することを特徴とするプログラム。
【請求項６】
取引毎に取引内容が記録されたレシートを発行するＰＯＳシステムにおいて、
商品識別情報が入力される入力手段と、
レシートを出力する出力手段と、
個々の商品識別情報毎に、当該商品の商品名、価格、及び当該商品が医療費控除の対象となるか否かを示す商品情報を格納するマスタファイルと、
前記入力手段により入力された商品識別情報に基づき前記マスタファイルを参照し、対応する商品情報を取得して精算処理を実行するとともに、読み出された情報に基づき編集し、前記出力手段により店名、発行日、及び医療費控除の対象商品が印字されている部分と、前記医療費控除の対象商品を含む全商品が印字されている部分とが分離され、前記医療費控除の対象商品が印字されている部分に、医療費控除申請において利用可能であることを示すメッセージを有するレシートを、印字出力せしめる制御手段、とを有することを特徴とする、ＰＯＳシステム。
【請求項７】
取引毎に取引内容が記録されたレシートを発行するＰＯＳ端末装置において、
商品識別情報が入力される入力手段と、
レシートを出力する出力手段と、
前記入力手段より入力された商品識別情報に基づき、対応する商品情報を取得して精算処理を実行する制御手段とを有し、
前記制御手段により個々の商品識別情報毎に、当該商品の商品名、価格、及び当該商品が医療費控除の対象となるか否かを示す情報とを含む商品情報を格納するマスタファイルより取得した情報に基づき編集し、前記出力手段により店名、発行日、及び医療費控除の対象商品が印字されている部分と、前記医療費控除の対象商品を含む全商品が印字されている部分とが分離され、前記医療費控除の対象商品が印字されている部分に、医療費控除申請において利用可能であることを示すメッセージを有するレシートを、印字出力せしめることを特徴とする、ＰＯＳ端末装置。
【請求項８】
ＰＯＳ端末装置から発行されるレシートにおいて、
前記ＰＯＳ端末装置により、個々の商品識別情報毎に、当該商品の商品名、価格、及び当該商品が医療費控除の対象となるか否かを示す情報とを含む、商品情報を格納するマスタファイルより取得した情報に基づき編集し、店名、発行日、及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されていることを特徴とするレシート。
【請求項９】
取引毎に取引内容が記録されたレシートをＰＯＳ端末装置より発行するレシート発行方法であって、　入力された商品識別情報に基づき、当該商品の商品名、価格、及び当該商品が医療控除の対象となるか否かを示す情報を含む商品情報を取得し、取得した情報に基づき編集し、店名、発行日、及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されているレシートを発行することを特徴とするレシート発行方法。
【請求項１０】
取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、店名、発行日、及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されているレシートをＰＯＳ端末の出力手段より出力させる機能と、を有することを特徴とするプログラム。
【請求項１１】
取引毎に取引内容が記録されたレシートを発行するＰＯＳシステムにおいて、商品識別情報が入力される入力手段と、レシートを出力する出力手段と、個々の商品識別情報毎に、当該商品の商品名、価格、及び当該商品が医療費控除の対象となるか否かを示す情報を格納するマスタファイルと、前記入力手段により入力された商品識別情報に基づき前記マスタファイルを参照し、対応する商品情報を取得して精算処理を実行するとともに、読み出された情報に基づき編集し、前記出力手段により、医療費控除の非対象商品が印字されている部分又は、対象商品が印字されている部分が印字出力され、切断手段により切断された後、医療費控除の対象商品が印字されている部分又は、非対象商品が印字されている部分を印字出力せしめる制御手段、とを有することを特徴とする、ＰＯＳシステム。
【請求項１２】
取引毎に取引内容が記録されたレシートを発行するＰＯＳ端末装置において、商品識別情報が入力される入力手段と、レシートを出力する出力手段と、前記入力手段より入力された商品識別情報に基づき、対応する商品情報を取得して精算処理を実行する制御手段とを有し、前記制御手段により個々の商品識別情報毎に、当該商品の商品名、価格、及び当該商品が医療費控除の対象となるか否かを示す情報を格納するマスタファイルに基づき編集し、前記出力手段により、医療費控除の非対象商品が印字されている部分又は、対象商品が印字されている部分が印字出力され、切断手段により切断された後、医療費控除の対象商品が印字されている部分又は、非対象商品が印字されている部分を印字出力せしめることを特徴とする、ＰＯＳ端末装置。
【請求項１３】
取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、取得した情報に基づき編集し、医療費控除の非対象商品が印字されている部分又は、対象商品が印字されている部分が印字出力され、切断手段により切断された後、医療費控除の対象商品が印字されている部分又は、非対象商品が印字されている部分のあるレシートを発行することを特徴とするレシート発行方法。
【請求項１４】
取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、医療費控除の非対象商品が印字されている部分又は、対象商品が印字されている部分が印字出力され、切断手段により切断された後、医療費控除の対象商品が印字されている部分又は、非対象商品が印字されている部分のあるレシートをＰＯＳ端末の出力手段より出力させる機能と、を有することを特徴とするプログラム。
【請求項１５】
取引毎に取引内容が記録されたレシートを発行するＰＯＳシステムにおいて、
商品識別情報が入力される入力手段と、
レシートを出力する出力手段と、
個々の商品識別情報毎に、当該商品の商品名、価格、及び当該商品が医療費控除の対象となるか否かを示す情報を格納するマスタファイルと、
前記入力手段により入力された商品識別情報に基づき前記マスタファイルを参照し、対応する商品情報を取得して精算処理を実行するとともに、読み出された情報に基づき編集し、前記出力手段により医療費控除の対象商品には、マークをつけて商品名、価格が印字され、非対象商品には商品名、価格のみが印字され更に、全購入商品合計金額の他に、医療費控除の対象商品の合計金額も印字出力せしめる制御手段とを有することを特徴とする、ＰＯＳシステム。
【請求項１６】
取引毎に取引内容が記録されたレシートを発行するＰＯＳ端末装置において、
商品識別情報が入力される入力手段と、
レシートを出力する出力手段と、
前記入力手段より入力された商品識別情報に基づき、対応する商品情報を取得して精算処理を実行する制御手段とを有し、
前記制御手段により個々の商品識別情報毎に、当該商品の商品名、価格、及び当該商品が医療費控除の対象となるか否かを示す情報を格納するマスタファイルに基づき編集し、前記出力手段により医療費控除の対象商品には、マークをつけて商品名、価格が印字され、非対象商品には商品名、価格のみが印字され更に、全購入商品合計金額の他に、医療費控除の対象商品の合計金額も印字出力せしめることを特徴とする、ＰＯＳ端末装置。
【請求項１７】
ＰＯＳ端末装置から発行されるレシートにおいて、
前記ＰＯＳ端末装置により、個々の商品識別情報毎に、当該商品の商品名、価格、及び当該商品が医療費控除の対象となるか否かを示す情報を格納するマスタファイルに基づき編集し、医療費控除の対象商品には、マークをつけて商品名、価格が印字され、非対象商品には商品名、価格のみが印字され更に、全購入商品合計金額の他に、医療費控除の対象商品の合計金額も印字されていることを特徴とするレシート。
【請求項１８】
取引毎に取引内容が記録されたレシートを発行するＰＯＳ端末装置において、
商品識別情報が入力される入力手段と、
レシートを出力する出力手段と、
医療費控除対象商品があった場合に、表示器に医療費控除の対象商品がある旨を通知する表示手段と、
顧客が医療費控除のレシートを希望するか否かを選択する選択手段と、
前記入力手段より入力された商品識別情報に基づき、対応する商品情報を取得して精算処理を実行する制御手段とを有し、
前記制御手段は、医療費控除の対象商品があった際に、前記選択手段による選択結果に基づき、顧客が医療費控除用のレシートを希望しない場合には、購入した物品名、価格が記載されたレシートを、また希望する場合には、物品名、価格に加えて、対象商品が識別できる形式に編集されたレシートを前記出力手段により印字出力せしめることを特徴とする、ＰＯＳ端末装置。
【請求項１９】
取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、取得した情報に基づき編集し、医療費控除の対象商品があった際の選択結果に基づき、顧客が医療費控除用のレシートを希望しない場合には、購入した物品名、価格が記載されたレシートを、また希望する場合には、物品名、価格に加えて、対象商品が識別できる形式に編集されたレシートを発行することを特徴とするレシート発行方法。
【請求項２０】
取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、医療費控除の対象商品があった際の選択結果に基づき、顧客が医療費控除用のレシートを希望しない場合には、購入した物品名、価格が記載されたレシートを、また希望する場合には、物品名、価格に加えて、対象商品が識別できる形式に編集されたレシートをＰＯＳ端末の出力手段より出力させる機能と、を有することを特徴とするプログラム。
【請求項２１】
請求項７記載のＰＯＳ端末装置において、
前記出力手段により店名と、医療費控除の対象商品が印字されている医療費控除用レシート部分と、前記医療費控除の対象商品を含む全商品と、前記医療費控除用レシートが既に発行済であることを示す、メッセージあるいはロゴが印字されている部分とが分離されたレシートを、印字出力せしめることを特徴とする、ＰＯＳ端末装置。
【発明の詳細な説明】
【０００１】
【発明の属する技術分野】本発明は取引の精算処理を行い、レシートを発行するＰＯＳシステムに関し、特には、取引毎に発行されるレシート上で、医療費控除の対象となる商品の情報をレシートに印字して出力するＰＯＳシステムに関する。
また、本発明は当該システムにて使用されるＰＯＳ端末装置、発行されるレシート、レシート発行方法、及びプログラムに関する。
【０００２】
【従来の技術】近年、薬局やドラッグストアなど医薬品を扱う店舗では、雑貨や日用品など医療費控除の対象となる薬品以外の商品も多数取り扱っている。よって、１取引の中で、医療費控除の対象商品と非対象商品が混在して登録された場合、レシートには、混在されたまま印刷されている。ところで、医療費控除の適用を受けようとする場合、医療費等の支払いの都度、支払いに対するレシートを受け取り、受け取ったレシートを、医療費控除の適用対象となる一定期間、保管しておかなければならない。しかしながら、医療費控除の適用対象となる医療費等は、規定された条件に適合したものでなければならないことから、支払ったものが医療費控除の対象商品となるか否かを、顧客が正確に判断するのは容易ではなく、申請し忘れたり、間違えた申請をしてしまうという問題がある。また、複数の商品がレシート上で混在する中、医療費控除の対象商品を探し出し、手作業でマークをつける必要があり、申請者にとって大変手間がかかるという不都合がある。さらに、税務署で、医療費対象商品か否かを確認チェックするのにも時間を要するという問題もある。そこで、顧客が医療費控除の対象である商品を容易に判別するために、購入した商品が医療費控除の対象商品か非対象商品かを区別し、その旨をレシートに印字できるようにした、レシート発行方法が要望されている。
【０００３】
この種の従来例としては、特開２０００−３０６１６５号公報に示すように、取引きの都度に医療費控除対象のものを記録媒体に記録し、　１年単位でレシートに印字することで、医療費控除用の情報の判別を容易にし、またレシートを保管する等の顧客に対する負担を軽減して、医療費控除申請を容易にする方法が開示されている。
【０００４】
【発明が解決しようとする課題】従来の技術である、特開２０００−３０６１６５号公報によれば、売上登録された各商品情報を記憶媒体に記録し、これから医療費控除の対象商品を一年単位で抽出・出力するものであり、これを実現するには、会員カード等が必要であり、店側としても、顧客情報を管理しておかなければならない。
【０００５】
本発明は、１取引毎に医療費控除の対象商品と非対象商品を区別して出力するものであり、より簡易に医療費控除用レシートを作成することを目的とする。
【０００６】
本発明は、店舗にて取引を行った全ての利用者に対し、簡易な手法で医療費控除の対象商品を証明できる医療費控除用レシートを作成することを目的とする。
【０００７】
本発明は、一目して医療費控除対象の商品を購入したことが分かり、また申請を行うに適した形態にてレシートを作成することを目的とする。
【０００８】
【課題を解決するための手段】上記目的を達成するため、請求項１記載の発明は、取引毎に取引内容が記録されたレシートを発行するＰＯＳシステムにおいて、商品識別情報が入力される入力手段と、レシートを出力する出力手段と、個々の商品識別情報毎に、当該商品の商品名、価格、及び当該商品が医療費控除の対象となるか否かを示す情報を格納するマスタファイルと、前記入力手段により入力された商品識別情報に基づき前記マスタファイルを参照し、対応する商品情報を取得して精算処理を実行するとともに、読み出された情報に基づき編集し、前記出力手段により店名、発行日、及び医療費控除の対象商品が印字されている部分と、非対象商品のみ印字されている部分とが分離されたレシートを印字出力せしめる制御手段、とを有することを特徴とする。
【０００９】
請求項２記載の発明は、取引毎に取引内容が記録されたレシートを発行するＰＯＳ端末装置において、商品識別情報が入力される入力手段と、レシートを出力する出力手段と、前記入力手段より入力された商品識別情報に基づき、対応する商品情報を取得して精算処理を実行する制御手段とを有し、前記制御手段により個々の商品識別情報毎に、当該商品の商品名、価格、及び当該商品が医療費控除の対象となるか否かを示す情報とを含む商品情報を格納するマスタファイルより取得した情報に基づき編集し、前記出力手段により店名、発行日及び、前記医療費控除の対象商品が印字されている部分と、非対象商品のみ印字されている部分とが分離されたレシートを印字出力せしめることを特徴とする。
【００１０】
請求項３記載の発明は、請求項２記載のＰＯＳ端末装置から発行されるレシートにおいて、前記ＰＯＳ端末装置により、個々の商品識別情報毎に、当該商品の商品名、価格、及び当該商品が医療費控除の対象となるか否かを示す情報とを含む、商品情報を格納するマスタファイルより取得した情報に基づき編集され、店名、発行日及び、医療費控除の対象商品が印字されている部分と、非対象商品のみ印字されている部分とが、分離されていることを特徴とする。
【００１１】
請求項４記載の発明は、取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、　取得した情報に基づき編集し、店名、発行日、及び医療費控除の対象商品が印字される部分と、非対象商品が印字されている部分とが分離されたレシートを発行することを特徴とする。
【００１２】
請求項５記載の発明は、取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、店名、発行日、及び医療費控除の対象商品が印字される部分と、非対象商品が印字されている部分とが分離されたレシートをＰＯＳ端末の出力手段より出力させる機能と、を有することを特徴とする。
【００１３】
請求項６記載の発明は、取引毎に取引内容が記録されたレシートを発行するＰＯＳシステムにおいて、商品識別情報が入力される入力手段と、レシートを出力する出力手段と、個々の商品識別情報毎に、当該商品の商品名、価格、及び当該商品が医療費控除の対象となるか否かを示す商品情報を格納するマスタファイルと、前記入力手段により入力された商品識別情報に基づき前記マスタファイルを参照し、対応する商品情報を取得して精算処理を実行するとともに、読み出された情報に基づき編集し、前記出力手段により店名、発行日、及び医療費控除の対象商品が印字されている部分と、前記医療費控除の対象商品を含む全商品が印字されている部分とが分離され、前記医療費控除の対象商品が印字されている部分に、医療費控除申請において利用可能であることを示すメッセージがついているレシートを、印字出力せしめる制御手段、とを有することを特徴とする。
【００１４】
請求項７記載の発明は、取引毎に取引内容が記録されたレシートを発行するＰＯＳ端末装置において、商品識別情報が入力される入力手段と、レシートを出力する出力手段と、前記入力手段より入力された商品識別情報に基づき、対応する商品情報を取得して精算処理を実行する制御手段とを有し、前記制御手段により個々の商品識別情報毎に、当該商品の商品名、価格、及び当該商品が医療費控除の対象となるか否かを示す情報とを含む商品情報を格納するマスタファイルより取得した情報に基づき編集し、前記出力手段により店名、発行日及び、医療費控除の対象商品が印字されている部分と、前記医療費控除の対象商品を含む全商品が印字されている部分とが分離され、前記医療費控除の対象商品が印字されている部分に、医療費控除申請において利用可能であることを示すメッセージがついているレシートを、印字出力せしめることを特徴とする。
【００１５】
請求項８記載の発明は、請求項７記載のＰＯＳ端末装置から発行されるレシートにおいて、前記ＰＯＳ端末装置により、個々の商品識別情報毎に、当該商品の商品名、価格、及び当該商品が医療費控除の対象となるか否かを示す情報とを含む、商品情報を格納するマスタファイルより取得した情報に基づき編集し、店名、発行日及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されていることを特徴とする。
【００１６】
請求項９記載の発明は、取引毎に取引内容が記録されたレシートをＰＯＳ端末装置より発行するレシート発行方法であって、　入力された商品識別情報に基づき、当該商品の商品名、価格、及び当該商品が医療控除の対象となるか否かを示す情報を含む商品情報を取得し、取得した情報に基づき編集し、店名、発行日、及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されているレシートを発行することを特徴とする。
【００１７】
請求項１０記載の発明は、取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、店名、発行日、及び医療費控除の対象商品が印字されている部分と、前記医療費控除の対象商品を含む全商品が印字されている部分とに分離され、前記医療費控除の対象商品が印字されている部分に、医療費控除申請において利用可能であることを示すメッセージが、印字されているレシートをＰＯＳ端末の出力手段より出力させる機能と、を有することを特徴とする。
【００１８】
請求項１１記載の発明は、取引毎に取引内容が記録されたレシートを発行するＰＯＳシステムにおいて、商品識別情報が入力される入力手段と、レシートを出力する出力手段と、個々の商品識別情報毎に、当該商品の商品名、価格、及び当該商品が医療費控除の対象となるか否かを示す情報を格納するマスタファイルと、前記入力手段により入力された商品識別情報に基づき前記マスタファイルを参照し、対応する商品情報を取得して精算処理を実行するとともに、読み出された情報に基づき編集し、前記出力手段により、医療費控除の非対象商品が印字されている部分又は、対象商品が印字されている部分が印字出力され、切断手段により切断された後、医療費控除の対象商品が印字されている部分又は、非対象商品が印字されている部分を印字出力せしめる制御手段、とを有することを特徴とする。
【００１９】
請求項１２記載の発明は、取引毎に取引内容が記録されたレシートを発行するＰＯＳ端末装置において、商品識別情報が入力される入力手段と、レシートを出力する出力手段と、前記入力手段より入力された商品識別情報に基づき、対応する商品情報を取得して精算処理を実行する制御手段とを有し、前記制御手段により個々の商品識別情報毎に、当該商品の商品名、価格、及び当該商品が医療費控除の対象となるか否かを示す情報を格納するマスタファイルに基づき編集し、前記出力手段により、医療費控除の非対象商品が印字されている部分又は、対象商品が印字されている部分が印字出力され、切断手段により切断された後、医療費控除の対象商品が印字されている部分又は、非対象商品が印字されている部分を印字出力せしめることを特徴とする。
【００２０】
請求項１３記載の発明は、取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、取得した情報に基づき編集し、医療費控除の非対象商品が印字されている部分又は、対象商品が印字されている部分が印字出力され、切断手段により切断された後、医療費控除の対象商品が印字されている部分又は、非対象商品が印字されている部分のあるレシートを発行することを特徴とする。
【００２１】
請求項１４記載の発明は、取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、医療費控除の非対象商品が印字されている部分又は、対象商品が印字されている部分が印字出力され、切断手段により切断された後、医療費控除の対象商品が印字されている部分又は、非対象商品が印字されている部分のあるレシートをＰＯＳ端末の出力手段より出力させる機能と、を有することを特徴とする。
【００２２】
請求項１５記載の発明は、取引毎に取引内容が記録されたレシートを発行するＰＯＳシステムにおいて、商品識別情報が入力される入力手段と、レシートを出力する出力手段と、個々の商品識別情報毎に、当該商品の商品名、価格、及び当該商品が医療費控除の対象となるか否かを示す情報を格納するマスタファイルと、前記入力手段により入力された商品識別情報に基づき前記マスタファイルを参照し、対応する商品情報を取得して精算処理を実行するとともに、読み出された情報に基づき編集し、前記出力手段により医療費控除の対象商品には、マークをつけて商品名、価格が印字され、非対象商品には商品名、価格のみが印字され更に、全購入商品合計金額の他に、医療費控除の対象商品の合計金額も印字出力せしめる制御手段とを有することを特徴とする。
【００２３】
請求項１６記載の発明は、取引毎に取引内容が記録されたレシートを発行するＰＯＳ端末装置において、商品識別情報が入力される入力手段と、レシートを出力する出力手段と、前記入力手段より入力された商品識別情報に基づき、対応する商品情報を取得して精算処理を実行する制御手段とを有し、前記制御手段により個々の商品識別情報毎に、当該商品の商品名、価格、及び当該商品が医療費控除の対象となるか否かを示す情報を格納するマスタファイルに基づき編集し、前記出力手段により医療費控除の対象商品には、マークをつけて商品名、価格が印字され、非対象商品には商品名、価格のみが印字され更に、全購入商品合計金額の他に、医療費控除の対象商品の合計金額も印字出力せしめることを特徴とするＰＯＳ端末装置において、前記出力手段により店名と、医療費控除の対象商品が印字されている医療費控除用レシート部分と、前記医療費控除の対象商品を含む全商品と、前記医療費控除用レシートが既に発行済であることを示す、メッセージあるいはロゴが印字されている部分とが分離されたレシートを、印字出力せしめることを特徴とする。
【００２４】
請求項１７記載の発明は、ＰＯＳ端末装置から発行されるレシートにおいて、
前記ＰＯＳ端末装置により、個々の商品識別情報毎に、当該商品の商品名、価格、及び当該商品が医療費控除の対象となるか否かを示す情報を格納するマスタファイルに基づき編集し、医療費控除の対象商品には、マークをつけて商品名、価格が印字され、非対象商品には商品名、価格のみが印字され更に、全購入商品合計金額の他に、医療費控除の対象商品の合計金額も印字されていることを特徴とする。
【００２５】
請求項１８記載の発明は、取引毎に取引内容が記録されたレシートを発行するＰＯＳ端末装置において、商品識別情報が入力される入力手段と、レシートを出力する出力手段と、医療費控除対象商品があった場合に、表示器に医療費控除の対象商品がある旨を通知する表示手段と、顧客が医療費控除のレシートを希望するか否かを選択する選択手段と、前記入力手段より入力された商品識別情報に基づき、対応する商品情報を取得して精算処理を実行する制御手段とを有し、前記制御手段は、医療費控除の対象商品があった際に、前記選択手段による選択結果に基づき、顧客が医療費控除用のレシートを希望しない場合には、購入した物品名、価格が記載されたレシートを、また希望する場合には、物品名、価格に加えて、対象商品が識別できる形式に編集されたレシートを前記出力手段により印字出力せしめることを特徴とする。
【００２６】
請求項１９記載の発明は、取引毎に取引内容が記録されたレシートをＰＯＳ端末装置より発行するレシート発行方法であって、入力された商品識別情報に基づき、当該商品の商品名、価格、及び当該商品が医療控除の対象となるか否かを示す情報を含む商品情報を取得し、取得した情報に基づき編集し、医療費控除の対象商品があった際の選択結果に基づき、顧客が医療費控除用のレシートを希望しない場合には、購入した物品名、価格が記載されたレシートを、また希望する場合には、物品名、価格に加えて、対象商品が識別できる形式に編集されたレシートを発行することを特徴とする。
【００２７】
請求項２０記載の発明は、取引毎に取引内容が記録されたレシートをＰＯＳ端末装置より発行させるためのプログラムであって、入力された商品情報に基づき、当該商品の商品名、価格、及び当該商品が医療控除の対象か否かを示す商品情報をマスタファイルより取得する機能と、取得した情報に基づき編集し、医療費控除の対象商品があった際の選択結果に基づき、顧客が医療費控除用のレシートを希望しない場合には、購入した物品名、価格が記載されたレシートを、また希望する場合には、物品名、価格に加えて、対象商品が識別できる形式に編集されたレシートをＰＯＳ端末の出力手段より出力させる機能と、を有することを特徴とする。
【００２８】
請求項２１記載の発明は、請求項７記載のＰＯＳ端末装置において、前記出力手段により店名と、医療費控除の対象商品が印字されている医療費控除用レシート部分と、前記医療費控除の対象商品を含む全商品と、前記医療費控除用レシートが既に発行済であることを示す、メッセージあるいはロゴが印字されている部分とが分離されたレシートを、印字出力せしめることを特徴とする。
したがって、医療費控除申請の際に、対象商品の申請のし忘れや、間違えた商品の申請を防ぎ、さらには、レシート上で複数の商品が混在する中、医療費控除の対象商品を探し出し、手作業でマークをつける必要がなくなることで、面倒を大幅に軽減することができる。
また、税務署で提出されたレシートを確認チェックする際も、確実かつ速やかに作業を行うことができる。そして、１取引毎に、医療費控除の対象商品であることを示す証明書となるレシートの発行により、どの店舗でも医療費控除申請の際に、必要なレシートを発行することが可能になる。
【００２９】
【発明の実施の形態】以下、本発明の実施形態を図面によって具体的に説明する。図１はシステム構成概要図、図２は商品マスタのファイル図、図３はＰＯＳ端末を概略的に示す外観斜視図、図４はＰＯＳ端末の制御系を示すブロック図、図５は第１実施例の具体的な処理の流れを示すフローチャート、図６は第２実施例の具体的な処理の流れを示すフローチャート、図７は第３実施例の具体的な処理の流れを示すフローチャート、図８は第４実施例の具体的な処理の流れを示すフローチャート、図９は従来のレシートの表面図、図１０は本発明方法の第１実施例を示すレシートの表面図、図１１は本発明方法の第２実施例を示すレシートの表面図、図１２は本発明方法の第３実施例を示すレシートの表面図、図１３は本発明方法の第４実施例を示すレシートの表面図、図１４は医療費控除対象商品があった場合のオペレータ画面図、図１５は医療費控除対象商品があった場合の顧客画面図、図１６はＰＯＳ端末装置のキーレイアウト図である。
【００３０】
図１はシステム構成概要図であって、かかるシステムは、店舗内の売場等にそれぞれ設置される複数台のＰＯＳ端末装置１と、同一店舗内の事務所等に設置されるサーバ２の商品マスタ３に接続して、商品データ照会をするＰＯＳシステムを構築し、ＰＯＳ端末装置から、売上明細が記録されたレシート４の印字発行が行われるものである。
【００３１】
図２は図１における商品マスタ３のファイル図で、各商品の商品コード５、商品の名称６、商品の価格７、医療費控除の対象商品になる商品を識別する為の控除識別フラグ８とからなる商品情報をもつ。
【００３２】
図３に示す、ＰＯＳ端末装置１は、マイクロコンピュータを内蔵したコントローラユニット１０、金銭を収納するドロアユニット２０、各種のキーが配列されたキーボード３０、オペレータのためのＣＲＴディスプレイ４０、顧客のためのディスプレイ５０、レシートを発行するためのプリンタ６０、バーコードスキャナ７０、及び磁気カードリーダ８０などから構成されていれている。サーマルプリンタ６０は、ドットの組合せにより、文字及びロゴマークといった任意の画像を所定幅のレシート用紙（ロール紙）に印字することができる。
バーコードスキャナ７０は、商品などに付与されたバーコードを光学的に読み取り、コードに応じたビットデータを出力する。
【００３３】
図４は、ＰＯＳ端末の制御系を示すブロック図であって、ＰＯＳ端末装置は、制御部本体としてＣＰＵ（Ｃｅｎｔｒａｌ　Ｐｒｏｃｅｓｓｉｎｇ　Ｕｎｉｔ）１００を搭載している。また、プログラムなどの固定的データを格納したＲＯＭ（Ｒｅａｄ　Ｏｎｌｙ　Ｍｅｍｏｒｙ）１０１、可変的なデータを一時記憶する各種メモリエリアが形成されるＲＡＭ（Ｒａｎｄｏｍ　Ａｃｃｅｓｓ　Ｍｅｍｏｒｙ）１０２、オペレータに対して登録商品データ等を表示するオペレータ用表示器、及び買物客に対して登録商品データ等を表示する客用表示器の表示動作を制御する、タッチパネルによる入力部１０３を含んだ表示部１０４、通信回線を介してサーバ２と接続する回線接続部１０５、そして、バーコードスキャナ７０、キーボード３０、ドロア２０、プリンタ６０が接続されている。
【００３４】
以上の構成によって、以下に示すような、医療費控除申請の際に利用されるレシートの発行動作が行われる。
【００３５】
図５は、第１実施例の具体的な取引処理の流れを示すフローチャート図である。
本実施例では、図１０に示す形態のレシートが発行される。
図１０のレシートでは、店名２００、発行日及び、医療費控除の対象商品の部分２０１と非対象商品のみの部分２０２に分離して、印字されている。
【００３６】
まず、オペレータはＰＯＳ端末装置内の、バーコードスキャナ７０により顧客の持参した商品のバーコードラベルをスキャンする。（ステップ１）これにより、商品コードが読み込まれ、その商品コードに対応する商品情報である商品コード５、名称６、価格７、控除識別フラグ８を回線接続部１０５を介してサーバ２内の商品マスタ３より取得し、得られた商品情報をＲＡＭ１０２に登録する。（ステップ２）この処理をすべての購入商品について行い、登録商品を表示部１０４で表示する。（ステップ３）
続いて、　すべての購入商品の読込みが完了したら、小計キーを押下し（ステップ４）、購入商品の合計金額を計算したところで、オペレータのためのＣＲＴディスプレイ４０に表示する。（ステップ５）
ＲＡＭ１０２に記憶した商品情報中の控除識別フラグ８から、医療費控除の対象商品があるかないかを判断する。（ステップ６）
医療費控除の対象商品がある場合、制御部本体としてのＣＰＵ１００により、図１０に示すように医療費控除の対象商品を、店名２００と同じ部分２０１になるよう上方へ並び替え、非対象商品は下の部分２０２にまとめて印字するよう、編集する。（ステップ７）
続いて、店名２００、メッセージ及び日付とともに医療費控除の対象商品と非対象商品を分離して、図１０のような形態のレシートを印字出力する。（ステップ８、９）
なお、以上の医療費控除の対象商品があるかないかの判断で（ステップ６）、対象商品がない場合は、図９のような従来のレシートが発行される。
従来のレシートでは、読み込まれた順に、商品名、価格が印字され、全商品の小計、合計が印字されている。
【００３７】
本実施例により、医療費控除の対象商品と非対象商品を区別して印字されているので、対象商品を顧客自らが選別してマークなどをつけて申請する必要がなくなり、医療費控除の対象商品がある旨を表示できるので、今まで医療費控除の対象商品を見逃していた顧客が医療費控除について、再認識するようになり、また申請の際の面倒を大幅に軽減することができる。また、店名、発行日とともに税込みで医療費控除の対象商品が印字されているので、申請の際に、その部分を医療費控除の正式証明書として利用することができる。
【００３８】
図６は、第２実施例の具体的な取引処理の流れを示すフローチャート図である。
本実施例では、図１１に示すレシートが発行される。
図１１のレシートでは、店名３０１、発行日及び医療費控除の対象商品の部分３０５と、これらを含む全商品の部分３０４とに分離して印字され、さらに医療費控除の対象商品の部分には、医療費控除申請において利用可能であることを示すメッセージ３０３が、全商品の部分には、医療費控除用レシートが既に発行済であることを示す、メッセージあるいはロゴ３０２が印字されている。
【００３９】
まず、オペレータはＰＯＳ端末装置内の、バーコードスキャナ７０により顧客の持参した商品のバーコードラベルをスキャンする。（ステップ１）これにより、商品コードが読み込まれ、その商品コードに対応する商品情報である商品コード５、名称６、価格７、控除識別フラグ８を回線接続部１０５を介してサーバ２内の商品マスタより取得し、得られた商品情報をＲＡＭ１０２に登録する。（ステップ２）
このとき、ＣＰＵ１００は、商品情報中の控除識別フラグ８から、登録した商品が医療費控除対象か否か識別し、対象である場合には、顧客のためのディスプレイ５０に、商品名、価格とともに医療費控除対象であることを示す表示がなされ（ステップ４）、また他の登録商品についても、逐次商品名、価格を表示部１０４で表示する。（ステップ５）
図１５は医療費控除の対象商品があった場合の顧客画面図で、実際に図１のＰＯＳ端末装置の顧客のためのディスプレイ５０に表示される内容を表している。まず、対象商品である風邪薬）ぺぺロンＳが読み込まれると、この商品が医療控除の対象で、医療費控除レシートが発行できることを示すメッセージが商品名とともに、顧客画面中に表示される。その後、非対象商品である電卓が読み込まれても、顧客画面中には引続き控除情報が表示される。よって顧客は、画面を見ることで、顧客自身の購入商品に医療費控除の対象商品があるか否かを常に正確に判断することができる。
続いて、すべての購入商品の読込みが完了したら、小計キーを押下し（ステップ６）、購入商品の合計金額を計算したところで、オペレータのためのＣＲＴディスプレイ４０に表示する。（ステップ７）
ステップ２でＲＡＭ１０２に登録された商品情報をもとに本取引内の登録商品中に、医療費控除の対象商品があるかないかを判断する。（ステップ８）
医療費控除の対象商品があると、オペレータのためのＣＲＴディスプレイ４０に、医療費控除の対象商品があることを示す表示がなされる。（ステップ９）
図１４は医療費控除対象商品があった場合のオペレータ画面図で、実際に図３のＰＯＳ端末装置のオペレータのためのＣＲＴディスプレイ４０に表示される内容を表している。そこで、顧客が医療費控除申請用のレシート発行を希望する場合に押下するする（発行）キーと、また希望しない場合に押下するしない（合計）キーが、タッチパネルによる入力部２３を含んだ表示部２４に設けられている。そこで、顧客が医療費控除申請用のレシートの発行を希望する場合は、タッチパネルによる入力部１０３を含んだ表示部１０４の、する（発行）キーを押下する。（ステップ１１）
制御部本体としてのＣＰＵ１００により、図１１に示すように、医療費控除の対象商品を、店名３０１と同じ部分３０５に、医療費控除の対象商品を含む全商品を印字する部分３０４とに分離し、少なくとも医療費控除の対象商品を印字している部分３０５の中には、医療費控除申請において利用可能であることを示すメッセージ３０３をつけ、全商品を印字する部分３０４の中には、医療費控除用レシート発行済みを示すメッセージ３０２をつけて編集する。（ステップ１２）
また、顧客が医療費控除申請用のレシートの発行を希望しない場合は、ステップ１０の段階において、タッチパネルによる入力部１０３を含んだ表示部１０４の、しない（合計）キーを押下する。（ステップ１３）
さらに、ＣＰＵ１００により、商品登録された全商品について印字用データの編集をする。（ステップ１４）
また、図１４において、医療費控除のレシートを発行するを選択した場合（ステップ１１）には、図１１のような形態のレシートを印字出力し、発行を希望しない場合（ステップ１３）には、図９にような形態の従来のレシートを印字出力する。（ステップ１５、１６）
なお、以上の医療費控除の対象商品があるかないかの判断で（ステップ８）、対象商品がない場合は、図９のような従来のレシートが発行される。
【００４０】
本実施例により、顧客が希望すれば医療費控除の対象商品と、買上の全商品が分離された形式のレシートが発行され、医療費控除の二重申請を防止するためのメッセージ３０２がついている、全商品が印字された部分３０４は、家庭での家計簿用に、また店名３０１、医療費控除申請において利用可能であることを示すメッセージ３０３、及び医療費控除の対象商品が印字された部分３０５は、医療費控除の申請用として利用することができる。つまり、部分３０４と部分３０５を切り離し、部分３０５を申請用に提出した後も、部分３０４には購入した全商品の明細が印字されていることから、当該部分３０４を家計の管理に利用することができる。
【００４１】
図７は、第３実施例の具体的な取引処理の流れを示すフローチャート図である。
この処理により、図１２に示す形態のレシートが発行される。
図１２のレシートでは、店名４００、発行日及び医療費控除の非対象商品の部分４０２と、店名４０１、医療費控除申請において利用可能であることを示すメッセージ、発行日及び医療費控除の対象商品の部分４０３とが切離して、別々の２種類のレシートが発行されている。なお、図１２のレシートでは、医療費控除の非対象商品の部分４０２が印字され、カットされた後、対象商品の部分４０３が印字されているが、印字順序が上部と下部で逆になっても構わない。
【００４２】
まず、オペレータはＰＯＳ端末装置内の、バーコードスキャナ７０により顧客の持参した商品のバーコードラベルをスキャンする。（ステップ１）これにより、商品コードが読み込まれ、その商品コードに対応する商品情報である商品コード５、名称６、価格７、控除識別フラグ８を回線接続部１０５を介してサーバ２内の商品マスタより取得し、得られた商品情報をＲＡＭ１０２に登録する。（ステップ２）
このとき、ＣＰＵ１００は、商品情報中の控除識別フラグ８から、登録した商品が医療費控除対象か否か識別し、対象である場合には、顧客のためのディスプレイ５０に、商品名、価格とともに医療費控除対象であることを示す表示がなされ（ステップ４）、また他の登録商品についても、逐次商品名、価格を表示部１０４で表示する。（ステップ５）
続いて、すべての購入商品の読込みが完了したら、小計キーを押下し（ステップ６）、購入商品の合計金額を計算したところで、オペレータのためのＣＲＴディスプレイ４０に表示する。（ステップ７）
ステップ２でＲＡＭ１０２に登録された商品情報をもとに本取引内の登録商品中に、医療費控除の対象商品があるかないかを判断する。（ステップ８）
医療費控除の対象商品があると、オペレータのためのＣＲＴディスプレイ４０に、医療費控除の対象商品があることを示す表示がなされる。（ステップ９）
そこで、顧客が医療費控除申請用のレシートの発行を希望する場合は、タッチパネルによる入力部１０３を含んだ表示部１０４の、する（発行）キーを押下する。（ステップ１１）
制御部本体としてのＣＰＵ１００により、図１２に示すように、医療費控除の非対象商品を印字する部分４０２を抜き出して、編集する。（ステップ１２）
店名、メッセージ及び日付とともに、医療費控除の非対象商品を、レシートに印字出力し（ステップ１３）、レシートカットが行われる。（ステップ１４）
続いて、ＣＰＵ１００により、商品登録された医療費控除の対象商品について印字用データの編集をする。（ステップ１５）
また図１４において、顧客が医療費控除申請用のレシートの発行を希望しない場合は、ステップ１０の段階において、タッチパネルによる入力部１０３を含んだ表示部１０４の、しない（合計）キーを押下する。（ステップ１７）
医療費控除のレシートを発行するを選択した場合（ステップ１１）には、図１２のような形態のレシート中の、医療費控除の非対象商品の部分４０２が既にカットして発行され、対象部分のみを店名４０１、メッセージ及び日付とともに印字した部分４０３を印字出力する。（ステップ１６）また、発行を希望しない場合（ステップ１０）には、しない（合計）キーを押下し（ステップ１７）、商品登録された全商品について印字用データの編集を行ない（ステップ１８）、図９にような形態の従来のレシートを印字出力する。（ステップ１６、１７）
なお、以上の医療費控除の対象商品があるかないかの判断で（ステップ８）、対象商品がない場合は、図９のような従来のレシートが発行される。
【００４３】
本実施例により、顧客が希望すれば医療費控除の非対象商品が印字された部分４０２と、対象商品が印字された部分４０３とに切断して、２種類のレシートが発行されるので、対象商品を顧客自らが選別してマークなどをつけて申請する必要がなくなり、医療費控除の対象商品がある旨を表示できるので、今まで医療費控除の対象商品を見逃していた顧客が医療費控除について、再認識するようになり、また申請の際の面倒を大幅に軽減することができる。また、従来のレシートか、本実施例によって発行されるレシートのどちらかを、顧客自身で選択することができる。ここで、顧客が後者のレシートを選択した場合、部分４０２と部分４０３が、既に切断された状態で発行されるので、顧客は医療費控除の申請の際、そのまま部分４０３を利用することができる。
【００４４】
図８は、第４実施例の具体的な取引処理の流れを示すフローチャート図である。
この処理により、図１３に示す形態のレシートが発行される。
図１３のレシートでは、読み込まれた順に、商品名５０１、価格５０２が印字され、医療費控除の対象商品にはマーク５００をつけ、医療費控除申請におけるメッセージ、医療費控除対象商品の現計、全商品の小計、合計額が印字されている。まず、オペレータはＰＯＳ端末装置内の、バーコードスキャナ７０により顧客の持参した商品のバーコードラベルをスキャンする。（ステップ１）これにより、商品コードが読み込まれ、その商品コードに対応する商品情報である商品コード５、名称６、価格７、控除識別フラグ８を回線接続部１０５を介してサーバ２内の商品マスタより取得し、得られた商品情報をＲＡＭ１０２に登録する。（ステップ２）この処理をすべての購入商品について行い、登録商品を表示部１０４で表示する。（ステップ３）
続いて、　すべての購入商品の読込みが完了したら、小計キーを押下し（ステップ４）、購入商品の合計金額を計算したところで、オペレータのためのＣＲＴディスプレイ４０に表示する。（ステップ５）
ＲＡＭ１０２に記憶した商品情報中の控除識別フラグ８から、医療費控除の対象商品があるかないかを判断する。（ステップ６）
対象商品がある場合、制御部本体としてのＣＰＵ（Ｃｅｎｔｒａｌ　Ｐｒｏｃｅｓｓｉｎｇ　Ｕｎｉｔ）１００により、図１３に示すように、医療費控除の対象商品５０１には、医療費控除の対象商品であることを示すマーク５００をつけて、値段５０２を印字し、非対象商品５０３には、マークをつけずに値段５０４を印字するように編集する。（ステップ７）
店名、メッセージ及び日付とともに　医療費控除の対象商品には、マークをつけて商品名、価格を印字し、非対象商品には商品名、価格のみを印字しさらに、全購入商品合計金額の他に、医療費控除の対象商品の合計金額も印字し、図１３のような形態のレシートを印字出力する。（ステップ８、９）
なお、以上の医療費控除の対象商品があるかないかの判断で（ステップ６）、対象商品がない場合は、従来のレシートが発行される。
【００４５】
これにより、顧客はマークの有無から医療費控除の対象商品か非対象商品かを直観的に判断することができ、今まで医療費控除の対象商品を見逃していた顧客が医療費控除について、再認識するようになる。また、医療費控除申請の際に必要なメッセージと、医療費控除の対象商品現計が印字されているので、申請の際の面倒を大幅に軽減することができる。
【００４６】
なお、ＰＯＳ端末装置１に、図２の商品マスタファイルの一部または全部の情報が設けられてもよい。
【００４７】
【発明の効果】以上説明したように、本発明は、医療費控除の対象商品と非対象商品を区別して印字されているので、対象商品を顧客自らが選別してマークなどをつけて申請する必要がなくなり、医療費控除の対象商品がある旨を表示できるので、今まで医療費控除の対象商品を見逃していた顧客が医療費控除について、再認識するようになる。
【００４８】
また、通常のレシートと医療費控除用のレシートを区別して出せるので、家計簿用のレシートと医療費控除申請用のレシートを同時に出すことができるので、面倒を大幅に軽減することができる。
【図面の簡単な説明】
【図１】システム構成概要図
【図２】商品マスタのファイル図
【図３】ＰＯＳ端末を概略的に示す外観斜視図
【図４】ＰＯＳ端末の制御系を示すブロック図
【図５】第１実施例の具体的な処理の流れを示すフローチャート
【図６】第２実施例の具体的な処理の流れを示すフローチャート
【図７】第３実施例の具体的な処理の流れを示すフローチャート
【図８】第４実施例の具体的な処理の流れを示すフローチャート
【図９】従来従来のレシートの表面図
【図１０】本発明方法の第１実施例を示すレシートの表面図
【図１１】本発明方法の第２実施例を示すレシートの表面図
【図１２】本発明方法の第３実施例を示すレシートの表面図
【図１３】本発明方法の第４実施例を示すレシートの表面図
【図１４】ディスプレイの表示内容を示す、医療費控除対象商品があった場合のオペレータ画面図
【図１５】ディスプレイの表示内容を示す、医療費控除対象商品があった場合の顧客画面図
【符号の説明】
１…ＰＯＳ端末装置
２…サーバ
３…商品マスタ
４…レシート
５…商品コード
６…商品の名称
７…商品の価格
８…医療費控除の対象商品を識別するフラグ
１０…コントローラユニット
２０…ドロアユニット
３０…キーボード
４０…オペレータのためのＣＲＴディスプレイ
５０…顧客のためのディスプレイ
６０…プリンタ
７０…バーコードスキャナ
８０…磁気カードリーダ
１００…ＣＰＵ
１０１…ＲＯＭ
１０２…ＲＡＭ
１０３…入力部
１０４…表示部
１０５…回線接続部
【図１】
2004094309.tif 000003
【図２】
2004094309.tif 000004
【図３】
2004094309.tif 000005
【図４】
2004094309.tif 000006
【図５】
2004094309.tif 000007
【図６】
2004094309.tif 000008
【図７】
2004094309.tif 000009
【図８】
2004094309.tif 000010
【図９】
2004094309.tif 000011
【図１０】
2004094309.tif 000012
【図１１】
2004094309.tif 000013
【図１２】
2004094309.tif 000014
【図１３】
2004094309.tif 000015
【図１４】
2004094309.tif 000016
【図１５】
2004094309.tif 000017